(57)【要約】  【課題】テレビジョン受像機本体の操作部が，テレビジョン受像機において実行するリモコンの操作部により指示可能な全ての処理を指示可能なテレビジョン受像機システムを提供することにある。  【解決手段】映像を表示する表示手段と前記表示手段に当該テレビジョン受像機において実行する処理に関する情報を表示させるための本体側処理情報表示指示機能と前記処理を実行させるための本体側処理実行機能とを有する本体側操作部とを備えてなるテレビジョン受像機本体と，遠隔操作手段側処理情報表示指示機能と遠隔操作手段側処理実行機能とを有する遠隔操作手段側操作部が備えられ，前記テレビジョン受像機本体を遠隔で操作する遠隔操作手段と有し，前記本体側操作部が，前記遠隔操作手段側操作部により指示可能な全ての前記処理を指示可能であるテレビジョン受像システムとして構成される。【選択図】図１
2007274295.tif 000002
【特許請求の範囲】
【請求項１】
映像を表示する表示手段と，前記表示手段に当該テレビジョン受像機において実行する処理に関する情報を表示させるための本体側処理情報表示指示手段と前記処理を実行させるための本体側処理実行手段とを有する本体側操作部と，を備えてなるテレビジョン受像機本体と，
前記テレビジョン側受像機本体とは別個に携帯可能であり，前記本体側処理情報表示指示手段とは別個に前記表示手段に当該テレビジョン受像機において実行する処理に関する情報を表示させるための遠隔操作手段側処理情報表示指示手段と前記本体側処理実行手段とは別個に前記処理を実行させるための遠隔操作手段側処理実行手段とを有する遠隔操作手段側操作部が備えられ，前記テレビジョン受像機本体を遠隔で操作する遠隔操作手段と，
を具備してなるテレビジョン受像システムであって，
前記本体側操作部が，前記遠隔操作手段側操作部により指示可能な全ての前記処理を指示可能であることを特徴とするテレビジョン受像システム。
【請求項２】
前記遠隔操作手段側操作部を構成する前記遠隔操作手段側処理情報表示指示手段により前記表示手段に表示される表示内容と前記遠隔操作手段側処理実行手段により実行される処理内容が，前記本体側操作部を構成する前記本体側処理情報表示指示手段により前記表示手段に表示される表示内容と前記本体側処理実行手段により実行される処理内容に含まれるものである請求項１に記載のテレビジョン受像システム。
【請求項３】
前記本体側処理情報表示指示手段により前記表示手段に表示される前記処理に関する情報の内容と，前記遠隔操作手段側処理情報表示指示手段により前記表示手段に表示される前記処理に関する情報の内容とが異なるものである請求項１又は２のいずれかに記載のテレビジョン受像システム。
【請求項４】
前記本体側処理情報表示指示手段により前記表示手段に表示される前記処理に関する情報が，前記遠隔操作手段側処理情報表示指示手段により前記表示手段に表示される前記処理に関する情報と同一の情報に加えてそれ以外の情報を含んでなる請求項３に記載のテレビジョン受像システム。
【請求項５】
前記それ以外の情報が，前記遠隔操作手段側処理実行手段の操作により実行される処理に関する情報を含むものである請求項４に記載のテレビジョン受像システム。
【請求項６】
前記本体側処理情報表示指示手段又は前記遠隔操作手段側処理情報表示指示手段により前記表示手段に表示される前記処理の選択が，前記本体側処理実行手段の操作により行われる請求項１〜５のいずれかに記載のテレビジョン受像システム。
【請求項７】
前記本体側処理実行手段が，放送局を選択する選局手段と出力音量を調節する音量調節手段とを含むものであって，前記選局手段及び／又は前記音量調節手段によって，前記本体側処理情報表示指示手段又は前記遠隔操作手段側処理情報表示指示手段により前記表示手段に表示される前記処理の選択が行われる請求項６に記載のテレビジョン受像システム。
【請求項８】
予め設定された時間，前記本体側操作部又は前記遠隔操作手段側操作部により操作がされなければ，前記表示手段に選択表示された項目が確定される請求項１〜４のいずれかに記載のテレビジョン受像システム。
【請求項９】
前記本体側処理情報表示指示手段により前記表示手段に表示される前記処理に関する情報が，前記遠隔操作手段を模式的に表したものであり，前記模式的に表された処理が上記表示手段上で選択・実行指示することが可能である請求項１〜８のいずれかに記載のテレビジョン受像システム。
【請求項１０】
前記本体側処理情報表示指示手段又は前記遠隔操作手段側処理情報表示指示手段により前記表示手段に表示される前記処理に関する情報のうち，選択された処理に関する情報の下位の処理に関する情報が表示される場合，前記選択された処理に関する情報と同位の処理に関する情報は非表示とされる請求項１〜９のいずれかに記載のテレビジョン受像システム。
【発明の詳細な説明】
【技術分野】
【０００１】
本発明は，テレビジョン受像システムに関し，特に，該テレビジョン受像システムにおいて実行する処理の表示及び実行に関するものである。
【背景技術】
【０００２】
従来のテレビジョン受像システムは，テレビジョン受像機本体と，前記テレビジョン受像機本体を遠隔で操作するリモートコントローラ（以下，「リモコン」と略称する）とにより構成されている。前記テレビジョン受像機本体の操作部には，電源の入切が行われる電源ボタンと，音量の調節が行われる音量ボタンと，放送局の選択が行われる選局ボタンと，が設けられている。前記リモコンの操作部には，前記テレビジョン受像機本体の操作部に設けられた前記各種のボタンと同様の処理を実行する電源ボタンと，音量ボタンと，選局ボタンの他に，受信した番組情報からなる電子番組表を表示する番組表ボタンと，テレビジョン映像と外部入力端子により入力された映像の表示の切替を行う入力切替ボタンと，表示部の画面を２分割し，選択された２つの放送局の映像を２画面にそれぞれ表示する２画面ボタンなど，テレビジョン受像機本体で様々な処理を実行するためのボタンが設けられている。このように，電源の入切，音量の調節，選局以外の詳細な処理は，リモコンで指示するような構成となっている。特許文献１には，このように詳細な処理情報をリモコンの操作でモニタに表示できるようにしたテレビジョン受像機が開示されている。
【特許文献１】特開平７−２６４４３４号公報
【発明の開示】
【発明が解決しようとする課題】
【０００３】
しかしながら，特許文献１に記載のテレビジョン受像システムでは，リモコンを紛失するなどによりテレビジョン受像機本体の操作部で処理を指示しなければならない場合，テレビジョン受像機本体側では操作できる機能が限定されており，利用者が希望する処理を指示，実行できないという問題があった。
従って，本発明は前記事情に鑑みてなされたものであり，その目的とするところは，テレビジョン受像機本体の操作部が，テレビジョン受像機において実行するリモコンの操作部により指示可能な全ての処理を指示可能なテレビジョン受像機システムを提供することにある。
【課題を解決するための手段】
【０００４】
前記目的を達成するために本発明は，映像を表示する表示手段と，前記表示手段に当該テレビジョン受像機において実行する処理に関する情報を表示させるための本体側処理情報表示指示手段と前記処理を実行させるための本体側処理実行手段とを有する本体側操作部と，を備えてなるテレビジョン受像機本体と，前記テレビジョン側受像機本体とは別個に携帯可能であり，前記本体側処理情報表示指示手段とは別個に前記表示手段に当該テレビジョン受像機において実行する処理に関する情報を表示させるための遠隔操作手段側処理情報表示指示手段と前記本体側処理実行手段とは別個に前記処理を実行させるための遠隔操作手段側処理実行手段とを有する遠隔操作手段側操作部が備えられ，前記テレビジョン受像機本体を遠隔で操作する遠隔操作手段と，を具備してなるテレビジョン受像システムであって，前記本体側操作部が，前記遠隔操作手段側操作部により指示可能な全ての前記処理を指示可能であることを特徴とするテレビジョン受像システムとして構成されている。
これにより，テレビジョン受像機本体の本体側操作部が，テレビジョン受像機において実行する遠隔操作手段の遠隔操作手段側操作部により指示可能な全ての処理を指示することが可能となる。
また，前記遠隔操作手段側操作部を構成する前記遠隔操作手段側処理情報表示指示手段により前記表示手段に表示される表示内容と前記遠隔操作手段側処理実行手段により実行される処理内容は，前記本体側操作部を構成する前記本体側処理情報表示指示手段による表示内容と前記本体側処理実行手段により実行される処理内容に含まれるものである。
すなわち，遠隔操作手段を紛失したとしても，テレビジョン受像機本体の本体側操作部ですべての操作ができるため，操作できる機能が限定されることはなく，希望する全ての処理を実行することができる。
一方，前記本体側処理情報表示指示手段により前記表示手段に表示される前記処理に関する情報の内容と，前記遠隔操作手段側処理情報表示指示手段により前記表示手段に表示される前記処理に関する情報の内容とが異なることが考えられる。
具体的には，前記本体側処理情報表示指示手段により前記表示手段に表示される前記処理に関する情報が，前記遠隔操作手段側処理情報表示指示手段により前記表示手段に表示される前記処理に関する情報と同一の情報に加えてそれ以外の情報を含んでいることが考えられる。
ここで，前記それ以外の情報は，前記遠隔操作手段側処理実行手段により実行される処理に関する情報を含むものである。
このように，前記遠隔操作手段側処理実行手段に対応した情報を前記表示手段に表示することにより，前記遠隔操作手段側処理実行手段に対応したボタンを本体側操作部に設けた場合に比べて，コストダウンに寄与することが可能となる。
また，前記本体側処理情報表示指示手段や前記遠隔操作手段側処理情報表示指示手段により前記表示手段に表示される前記処理の選択が，前記本体側処理実行手段により行われることが考えられる。
具体的には，前記本体側処理実行手段が，放送局を選択する選局手段と出力音量を調節する音量調節手段とを含むものであって，前記選局手段や前記音量調節手段によって，前記本体側処理情報表示指示手段や前記遠隔操作手段側処理情報表示指示手段により前記表示手段に表示される前記処理の選択が行われる。
すなわち，前記本体側処理情報表示指示手段や前記遠隔操作手段側処理情報表示指示手段により前記表示手段に表示される前記処理の選択用として，新たに選択ボタンを設けてもよいが，余分にコストがかかるため，予め備えられていた前記選局や前記音量調節のためのボタンに選択機能を兼ね備えることが好ましい。
更に，予め設定された時間，前記本体側操作部や前記遠隔操作手段側操作部により操作がされなければ，前記表示手段に選択表示された項目が確定されることが好ましい。新たに選択表示された項目を確定するためのボタンを設けなくてすむからである。
一方，前記本体側処理情報表示指示手段により前記表示手段に表示される前記処理に関する情報が，前記遠隔操作手段を模式的に表したものであり，前記模式的に表された処理が前記表示手段上で選択・実行指示することが可能であることが考えられる。
このように，前記遠隔操作手段を模式的に表すことにより，前記遠隔操作手段を使い慣れた利用者が，希望する処理項目を探す負担が軽減される。そして，希望する処理項目を把握し，選択実行するまでの時間が短縮される。
また，前記本体側処理情報表示指示手段や前記遠隔操作手段側処理情報表示指示手段により前記表示手段に表示される前記処理に関する情報のうち，選択された処理に関する情報の下位の処理に関する情報が表示される場合，前記選択された処理に関する情報と同位の処理に関する情報は非表示とされることが望ましい。
前記情報は，画面の上端部など一部に表示されるものであり，画面に表示される情報が少なければ，その分，背後の映像，例えばテレビジョン受像機により放送される映像などが多く表示されるからである。
【発明の効果】
【０００５】
本発明によれば，テレビジョン受像機本体の本体側操作部が，テレビジョン受像機において実行する遠隔操作手段の遠隔操作手段側操作部により指示可能な全ての処理を指示することが可能となる。すなわち，遠隔操作手段を紛失したとしても，テレビジョン受像機本体の本体側操作部ですべての操作ができるため，操作できる機能が限定されることはなく，希望する全ての処理を実行することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像システムＸ１の概略構成を示すブロック図，図２は本発明の実施の形態に係るテレビジョン受像システムＸ１に設けられているテレビジョン受像機本体Ｙ１の模式図，図３は本発明の実施の形態に係るテレビジョン受像システムＸ１に設けられているリモコンＺ１の模式図，図４は本発明の実施の形態に係るテレビジョン受像システムＸ１に用いられるメニューＭ１の模式図，図５は本発明の実施の形態に係るテレビジョン受像システムＸ１に用いられるメニューＭ２の模式図，図６は本発明の実施の形態に係るテレビジョン受像システムＸ１に用いられるメニューの階層構造を示すブロック図，図７は本発明の実施の形態に係るテレビジョン受像システムＸ１に用いられるメニューＭ１やメニューＭ２の項目非表示に関する模式図，図８は本発明の実施の形態に係るテレビジョン受像システムＸ１に設けられているテレビジョン受像機本体Ｙ１に設けられた制御部１０により実行される処理の手順についてその一例を説明するためのフローチャート，図９は実施例に係るテレビジョン受像システムＸ２に用いられるメニューＭ１０１の項目が階層表示された映像の模式図，図１０は実施例に係るテレビジョン受像システムＸ２に用いられるメニューＭ１０１で項目「リモコン」を選択した場合の模式図，図１１は実施例に係るテレビジョン受像システムＸ２に設けられているテレビジョン受像機本体Ｙ２に設けられた制御部１１０により実行される処理の手順についてその一例を説明するためのフローチャートである。
【０００７】
まず，図１のブロック図を用いて，本発明の実施の形態に係るテレビジョン受像システムＸ１の概略構成について説明する。
前記テレビジョン受像システムＸ１は，テレビジョン受像機本体Ｙ１と，前記テレビジョン受像機本体Ｙ１を遠隔で操作するリモートコントローラ（以下，「リモコン」と略称する）Ｚ１により構成されている。
【０００８】
図１のブロック図を用いて，テレビジョン受像機本体Ｙ１の概略構成について説明する。
前記テレビジョン受像機本体Ｙ１は，操作部１１と，記憶部１２と，リモコンからの信号を受信する受光部１３と，映像を表示する表示部１４と，これらを統括的に制御する制御部１０とを備えて構成されている。
【０００９】
図２の模式図に示すように，本体側操作部に相当する前記操作部１１には，前記テレビジョン受像機Ｙ１において実行する処理に関するメニューＭ１（図４参照）を前記表示部１４に表示するためのメニューボタン１１ａと前記処理を実行するための処理実行ボタン１１ｂが備えられている。前記処理実行ボタン１１ｂには，前記テレビジョン受像機本体Ｙ１の電源を入れたり切ったりする電源ボタン１１ｂ１と，前記テレビジョン受像機本体Ｙ１の音量を調節する一対の音量調節ボタン１１ｂ２と，テレビジョン放送の選局を行う一対の選局ボタン１１ｂ３などが含まれる。前記音量調節ボタン１１ｂ２は，上向き三角形のボタンを押下すると音量が大きくなり，下向き三角形のボタンを押下すると音量が小さくなるものである。前記選局ボタン１１ｂ３は，左向き三角形のボタンを押下すると前記表示部１４に表示される放送局が昇順に変更され，右向き三角形のボタンを押下すると降順に変更されるものである。ここで，前記メニューボタン１１ａは，前記テレビジョン受像機Ｙ１において実行する処理に関する情報を表示させるための本体側処理情報表示指示手段に相当し，この場合処理メニューを表示させるものである。また，前記処理実行ボタン１１ｂは，前記処理を実行させるための本体側処理実行手段に相当する。
また，図４に示す前記メニューＭ１や図５に示すメニューＭ２に表示されている処理の選択は，前記テレビジョン受像機本体Ｙ１では，前記処理実行ボタン１１ｂの操作により行われる。具体的には，前記一対の音量調節ボタン１１ｂ２と前記一対の選局ボタン１１ｂ３の操作により行われる。
ここで，図４に示す前記メニューＭ１や図５に示す前記メニューＭ２に表示されている処理の選択は前記テレビジョン受像機本体Ｙ１では前記処理実行ボタン１１ｂの操作により行われることが，「課題を解決するための手段」における「前記本体側処理情報表示指示手段又は前記遠隔操作手段側処理情報表示指示手段により前記表示手段に表示される前記処理の選択が，前記本体側処理実行手段の操作により行われる」ことに相当する処理である。
また，図４に示す前記メニューＭ１や図５に示す前記メニューＭ２に表示されている処理の選択は前記テレビジョン受像機本体Ｙ１では前記一対の音量調節ボタン１１ｂ２と前記一対の選局ボタン１１ｂ３の操作により行われることが，「課題を解決するための手段」における「前記本体側処理実行手段が，放送局を選択する選局手段と出力音量を調節する音量調節手段とを含むものであって，前記選局手段及び／又は前記音量調節手段によって，前記本体側処理情報表示指示手段又は前記遠隔操作手段側処理情報表示指示手段により前記表示手段に表示される前記処理の選択が行われる」ことに相当する処理である。
【００１０】
前記表示部１４は，受信したテレビジョン放送の映像や，前記操作部１１に備えられている前記メニューボタン１１ａが押下されることにより前記テレビジョン受像機本体Ｙ１において実行する処理に関する前記メニューＭ１（図４参照）や，前記リモコンＺ１側の操作部２１に備えられているメニューボタン２１ａが押下されることにより前記テレビジョン受像機本体Ｙ１において実行する処理に関する前記メニューＭ２（図５参照）が表示されるモニタである。前記表示部１４が，表示手段に相当する。
なお，前記テレビジョン受像機本体Ｙ１の前記メニューボタン１１ａを押下したときに表示される前記メニューＭ１や，前記リモコンＺ１の前記メニューボタン２１ａを押下したときに表示される前記メニューＭ２は，それぞれ１つの映像の場合もあれば，複数の映像に分けて階層的になっている場合もありうる。
【００１１】
前記受光部１３は，前記リモコンＺ１から送信された信号を受信する光センサである。前記受光部１３で受信した信号に基づいて，前記制御部１０により，前記テレビジョン受像機本体Ｙ１において処理が実行される。
【００１２】
前記記憶部１２は，受信した番組情報を一時的に記憶するハードディスクやメモリなどである。
また，前記記憶部１２には，前記テレビジョン受像機本体Ｙ１側の前記操作部１１に備えられている前記メニューボタン１１ａが押下されることにより前記メニューＭ１を前記表示部１４に表示するプログラムや前記リモコンＺ１側の前記操作部２１に備えられている前記メニューボタン２１ａが押下されることにより前記メニューＭ２を前記表示部１４に表示するプログラムなどが格納されている。
また，前記記憶部１２には，前記テレビジョン受像機本体Ｙ１側の前記操作部１１に備えられている前記メニューボタン１１ａが押下されることにより表示される前記メニューＭ１や，前記リモコンＺ１側の前記操作部２１に備えられている前記メニューボタン２１ａが押下されることにより表示される前記メニューＭ２といったコンテンツなどを含むソフトウエアも記憶されている。
【００１３】
図４，図５に示すように，前記メニューＭ１と前記メニューＭ２は異なるものである。前記メニューＭ１には，前記メニューＭ２の内容と，それ以外の情報が含まれている。前記それ以外の情報とは，前記リモコンＺ１に備えられている前記処理を実行するための処理実行ボタン２１ｂにより実行される処理に関する情報が含まれている。具体的には，番組表，入力切替，２画面の処理を実行するための項目などである。
前記メニューＭ１と前記メニューＭ２は異なるものであることが，「課題を解決するための手段」における「前記本体側処理情報表示指示手段により前記表示手段に表示される前記処理に関する情報の内容と，前記遠隔操作手段側処理情報表示指示手段により前記表示手段に表示される前記処理に関する情報の内容とが異なるものである」ことに相当する。
前記メニューＭ１には前記メニューＭ２の内容とそれ以外の情報が含まれていることが，「課題を解決するための手段」における「前記本体側処理情報表示指示手段により前記表示手段に表示される前記処理に関する情報が，前記遠隔操作手段側処理情報表示指示手段により前記表示手段に表示される前記処理に関する情報と同一の情報に加えてそれ以外の情報を含んでなる」ことに相当する。
前記それ以外の情報とは前記リモコンＺ１に備えられている前記処理を実行するための前記処理実行ボタン２１ｂにより実行される処理に関する情報が含まれていることが，「課題を解決するための手段」における「前記それ以外の情報が，前記遠隔操作手段側処理実行手段により実行される処理に関する情報を含むものである」ことに相当する。
一方，図６に示すように，前記メニューＭ１や前記メニューＭ２は，表示される項目が階層構造になっている。
また，図７に示すように，前記メニューＭ１や前記メニューＭ２では，選択された処理に関する情報の下位の処理に関する情報が表示される場合，前記選択された処理に関する情報と同位の処理に関する情報は非表示とされる。具体的には，図７（ａ）の「映像調整」が選択決定されると，下位の処理に関する情報「画質」「ノイズ」などの詳細情報が図７（ｂ）のように表示され，「映像調整」と同位の処理に関する情報「省エネ設定」「本体設定」などは非表示となる。
前記テレビジョン受像機本体Ｙ１側の前記操作部１１に備えられている前記メニューボタン１１ａが押下されることにより表示される前記メニューＭ１や前記リモコンＺ１側の前記操作部２１に備えられている前記メニューボタン２１ａが押下されることにより表示される前記メニューＭ２のうち選択された処理に関する情報の下位の処理に関する情報が表示される場合前記選択された処理に関する情報と同位の処理に関する情報は非表示とされることが，「課題を解決するための手段」における「前記本体側処理情報表示指示手段又は前記遠隔操作手段側処理情報表示指示手段により前記表示手段に表示される前記処理に関する情報のうち，選択された処理に関する情報の下位の処理に関する情報が表示される場合，前記選択された処理に関する情報と同位の処理に関する情報は非表示とされる」ことに相当する処理である。
前記処理に関する情報は，画面の上端部など一部に表示される。画面に表示される情報が少なければ，その分，背後の映像，例えば前記テレビジョン受像機本体Ｙ１により放送される映像などが多く表示されるからである。
【００１４】
続いて，図１を用いて，前記リモコンＺ１の概略構成について説明する。
前記リモコンＺ１は，前記テレビジョン受像機本体Ｙ１とは別個に携帯可能であり，操作部２１と，記憶部２２と，前記テレビジョン受像機本体Ｙ１に前記リモコンＺ１からの信号を送信する発光部２３と，これらを統括的に制御する制御部２０とを備えて構成されている。ここで，前記リモコンＺ１は，遠隔操作手段に相当する。
【００１５】
図３に示すように，遠隔操作手段側操作部に相当する前記操作部２１には，前記テレビジョン受像機Ｙ１において実行する処理に関する前記メニューＭ２を前記表示部１４に表示するための前記メニューボタン２１ａと前記処理を実行するための処理実行ボタン２１ｂが備えられている。前記処理実行ボタン２１ｂには，前記テレビジョン受像機本体Ｙ１の電源を入れたり切ったりする電源ボタン２１ｂ１と，前記テレビジョン受像機本体Ｙ１の音量を調節する音量調節ボタン２１ｂ２と，テレビジョン放送の選局を行う選局ボタン２１ｂ３と，チャンネル選択ボタン２１ｂ４と，番組表ボタン２１ｂ５と，入力切替ボタン２１ｂ６と，２画面ボタン２１ｂ７と，前記メニューＭ２での処理を選択するための上下左右４方向のボタンにより構成されている上下左右選択ボタン２１ｂ８と，前記メニューＭ２での処理を決定するための決定ボタン２１ｂ９などが含まれる。前記音量調節ボタン２１ｂ２は，＋側の端部を押下すると音量が大きくなり，−側の端部を押下すると音量が小さくなるものである。前記選局ボタン２１ｂ３は，上向き矢印を押下すると前記テレビジョン受像機本体Ｙ１の前記表示部１４に表示される放送局が昇順に変更され，下向き矢印を押下すると降順に変更されるものである。前記チャンネル選択ボタン２１ｂ４は，チャンネル番号に対応する数字が割り当てられており，各ボタンを押すと対応するチャンネル番号の放送局を選択するように設定されている。前記番組表ボタン２１ｂ５は，予め受信した番組情報からなる電子番組表を表示する。前記入力切替ボタン２１ｂ６は，テレビジョン映像と，外部入力端子から入力された映像の表示の切替を行う。前記２画面ボタン２１ｂ７は，前記表示部１４の画面を２分割し，選択された２つの放送局の映像を２画面にそれぞれ表示することを指示するためのボタンである。ここで，前記メニューボタン２１ａは，前記テレビジョン受像機Ｙ１において実行する処理に関する情報を表示させるための遠隔操作手段側処理情報表示指示手段に相当し，この場合処理メニューを表示させるものである。また，前記処理実行ボタン２１ｂは，前記処理を実行させるための遠隔操作手段側処理実行手段に相当する。
【００１６】
前記記憶部２２は，前記操作部２１により押下されたボタンに応じた処理の実行を指示する信号を前記テレビジョン受像機本体Ｙ１に送信するプログラムが格納されたＲＯＭ及び種々のデータを一時的に記憶するＲＡＭなどのメモリにより構成されている。
【００１７】
前記発光部２３は，赤外線ランプなどにより構成され，光通信により，前記テレビジョン受像機本体Ｙ１に対して前記操作部２１により押下されたボタンに応じた処理の実行を指示する信号を送信するものである。
【００１８】
ここで，前記テレビジョン受像機本体Ｙ１で実行される処理に関して，前記テレビジョン受像機本体Ｙ１の前記操作部１１に備えられているボタンと，前記リモコンＺ１の前記操作部２１に備えられているボタンの分担について説明する。
【表１】
2007274295.tif 000003
表１に示すように，前記テレビジョン受像機本体Ｙ１の電源の入切は，前記テレビジョン受像機本体Ｙ１の前記操作部１１に備えられている前記電源ボタン１１ｂ１や前記リモコンＺ１の前記操作部２１に備えられている前記電源ボタン２１ｂ１を操作することにより可能である。
前記テレビジョン受像機本体Ｙ１の表示部１４に前記メニューＭ１や前記メニューＭ２を表示するには，前記テレビジョン受像機本体Ｙ１の前記操作部１１に備えられている前記メニューボタン１１ａや前記リモコンＺ１の前記操作部２１に備えられている前記メニューボタン２１ａを操作する。
前記テレビジョン受像機本体Ｙ１の音量の調節は，前記テレビジョン受像機本体Ｙ１の前記操作部１１に備えられている前記音量調節ボタン１１ｂ２や前記リモコンＺ１の前記操作部２１に備えられている前記音量調節ボタン２１ｂ２を操作することにより行われる。
前記テレビジョン受像機本体Ｙ１の表示部１４に表示される放送局の選択は，前記テレビジョン受像機本体Ｙ１の前記操作部１１に備えられている前記選局ボタン１１ｂ３や，前記リモコンＺ１の前記操作部２１に備えられている前記選局ボタン２１ｂ３や前記チャンネル選択ボタン２１ｂ４を操作することにより可能である。
前記テレビジョン受像機本体Ｙ１の表示部１４に番組表を表示するには，前記テレビジョン受像機本体Ｙ１の前記操作部１１に備えられている前記メニューボタン１１ａを押下することにより表示される前記メニューＭ１から番組表を選択決定することもできるが，更に，前記リモコンＺ１の前記操作部２１に備えられている番組表ボタン２１ｂ５を操作することによっても可能である。
前記テレビジョン受像機本体Ｙ１の表示部１４に表示されている画面を切り替えるには，前記テレビジョン受像機本体Ｙ１の前記操作部１１に備えられている前記メニューボタン１１ａを押下することにより表示される前記メニューＭ１から入力切替を選択決定する。或いは，前記リモコンＺ１の前記操作部２１に備えられている入力切替ボタン２１ｂ６を操作することによっても可能である。
前記テレビジョン受像機本体Ｙ１の表示部１４に２画面を表示するには，前記テレビジョン受像機本体Ｙ１の前記操作部１１に備えられている前記メニューボタン１１ａを押下することにより表示される前記メニューＭ１から２画面を選択決定できるが，また，前記リモコンＺ１の前記操作部２１に備えられている２画面ボタン２１ｂ７を操作することによっても選択決定できる。
前記テレビジョン受像機本体Ｙ１の前記表示部１４に表示された前記メニューＭ１や前記メニューＭ２の中の項目（映像調整，省エネ設定など）を選択するには，前記テレビジョン受像機本体Ｙ１の前記操作部１１に備えられている前記音量調節ボタン１１ｂ２や前記選局ボタン１１ｂ３，或いは，前記リモコンＺ１の前記操作部２１に備えられている前記上下左右選択ボタン２１ｂ８を操作することにより可能である。
前記テレビジョン受像機本体Ｙ１の前記表示部１４に表示された前記メニューＭ１や前記メニューＭ２の中の項目（映像調整，省エネ設定など）は，選択された後予め設定された時間，前記テレビジョン受像機本体Ｙ１に設けられている前記操作部１１や前記リモコンＺ１に設けられている前記操作部２１による操作がなければ，決定される。このような処理が，予め設定された時間，前記本体側操作部又は前記遠隔操作手段側操作部により操作がされなければ，前記表示手段に選択表示された項目が確定されることに相当する。また，前記リモコンＺ１側では，前記リモコンＺ１の前記操作部２１に備えられている決定ボタン２１ｂ９を操作することにより表示選択された項目を決定することが可能である。
前記のように，前記テレビジョン受像機本体Ｙ１の前記操作部１１は，前記リモコンＺ１の前記操作部２１により指示可能な全ての処理を指示可能である。
前記テレビジョン受像機本体Ｙ１の前記操作部１１は前記リモコンＺ１の前記操作部２１により指示可能な全ての処理を指示可能であることが，「課題を解決するための手段」における「前記本体側操作部が，前記遠隔操作手段側操作部により指示可能な全ての前記処理を指示可能である」ことに相当する。
また，前記の説明から分かるように，前記リモコンＺ１に備えられている前記操作部２１を構成する前記メニューボタン２１ａにより表示される前記メニューＭ２と前記処理実行ボタン２１ｂにより実行される処理内容が，前記テレビジョン受像機本体Ｙ１の前記操作部１１を構成する前記メニューボタン１１ａにより表示される前記メニューＭ１と前記処理実行ボタン１１ｂにより実行される処理内容に含まれる関係になっている。すなわち，前記遠隔操作手段側操作部を構成する遠隔操作手段側処理情報表示指示手段による表示内容と遠隔操作手段側処理実行手段により実行される処理内容が，前記本体側操作部を構成する本体側処理情報表示指示手段による表示内容と本体側処理実行手段により実行される処理内容に含まれるのである。
【００１９】
前記のように前記リモコンＺ１に備えられている前記操作部２１を構成する前記メニューボタン２１ａにより表示される前記メニューＭ２と前記処理実行ボタン２１ｂにより実行される処理内容が，前記テレビジョン受像機本体Ｙ１の前記操作部１１を構成する前記メニューボタン１１ａにより表示される前記メニューＭ１と前記処理実行ボタン１１ｂにより実行される処理内容に含まれるように構成されることで，前記リモコンＺ１を紛失したとしても，前記テレビジョン受像機本体Ｙ１の前記操作部１１ですべての操作ができるため，操作できる機能が限定されることはなく，希望する全ての処理を実行することができる。
【００２０】
次に，図８のフローチャートに基づいて，前記テレビジョン受像機本体Ｙ１の前記制御部１０によって実行される処理の手順についてその一例を説明する。
図中のＳ１０，Ｓ２０…は処理手順（ステップ）番号を示し，処理はステップＳ１０より開始される。
【００２１】
ステップＳ１０では，前記メニューＭ１や前記メニューＭ２を表示する指示がされたかどうかが判断される。前記テレビジョン受像機本体Ｙ１に設けられている前記メニューボタン１１ａや前記リモコンＺ１に設けられている前記メニューボタン２１ａにより前記メニューＭ１や前記メニューＭ２を表示する指示が伝えられ，前記制御部１０により，前記メニューＭ１や前記メニューＭ２を表示する指示がされたと判断されれば（ステップＳ１０のＹｅｓ側），処理はステップＳ２０に移行される。
【００２２】
ステップＳ２０では，前記ステップＳ１０での指示が，前記テレビジョン受像機本体Ｙ１に設けられている前記メニューボタン１１ａからの指示かどうかが判断される。利用者により前記テレビジョン受像機本体Ｙ１の前記操作部１１が操作され，前記メニューボタン１１ａが押下されると，前記制御部１０により，前記メニューボタン１１ａから前記メニューＭ１を表示する指示があったと判断され（ステップＳ２０のＹｅｓ側），処理はステップＳ３０に移行される。前記制御部１０により，前記メニューボタン１１ａから前記メニューＭ１を表示する指示がなかったと判断されれば（ステップＳ２０のＮｏ側），処理はステップＳ３１に移行される。
【００２３】
ステップＳ３０では，前記制御部１０により，前記記憶部１２に格納されている図４のような前記メニューＭ１が，前記表示部１４に表示され，処理はステップＳ４０に移行される。
【００２４】
前記テレビジョン受像機本体Ｙ１に設けられている前記メニューボタン１１ａからの指示でない場合，前記リモコンＺ１に設けられている前記メニューボタン２１ａからの指示である。従って，ステップＳ３１では，前記制御部１０により，前記記憶部１２に格納されている図５のような前記メニューＭ２が，前記表示部１４に表示され，処理はステップＳ４０に移行される。
【００２５】
続いて，ステップＳ４０では，前記ステップＳ３０において表示された前記メニューＭ１や，前記ステップＳ３１において表示された前記メニューＭ２から，処理が選択決定されたか否かが判断される。
前記テレビジョン受像機Ｙ１に設けられている前記一対の音量調節ボタン１１ｂ２と前記一対の選局ボタン１１ｂ３の操作や，前記リモコンＺ１に設けられている前記上下左右選択ボタン２１ｂ８により，処理が選択され，前記リモコンＺ１に設けられている前記決定ボタン２１ｂ９により処理が決定されれば，前記制御部１０により処理が選択決定されたと判断され（ステップＳ４０のＹｅｓ側），処理はステップＳ５０に移行される。前記テレビジョン受像機Ｙ１に設けられている前記一対の音量調節ボタン１１ｂ２と前記一対の選局ボタン１１ｂ３の操作や，前記リモコンＺ１に設けられている前記上下左右選択ボタン２１ｂ８により，処理が選択されても，前記リモコンＺ１に設けられている前記決定ボタン２１ｂ９により処理が決定されなければ，前記制御部１０により処理が選択決定されていないと判断され（ステップＳ４０のＮｏ側），処理はステップＳ４１に移行される。
【００２６】
ステップＳ４１では，前記処理の選択から予め設定された時間が経過したか否かが前記制御部１０により判断される。前記処理の選択から予め設定された時間が経過し，次の操作がされなければ（ステップＳ４１のＹｅｓ側），前記制御部１０により，前記処理の選択が決定され，処理はステップＳ５０へ移行される。
別の方法としては，前記テレビジョン受像機Ｙ１本体の前記操作部１１に決定ボタンを設けておき，これが押下されるか，予め設定された時間が経過するかのいずれかの条件が充足されたとき，ステップＳ５０に移行するようにしてもよい。
予め設定された時間が経過するとは，例えば，１分後などであり，利用者が行う，前記テレビジョン受像機本体Ｙ１に設けられている前記操作部１１の操作に基づいて，前記制御部１０により予め設定することができる。ここで，予め設定された時間の経過は，前記テレビジョン受像機本体Ｙ１の内部にある不図示のタイマーにより計測される。前記処理の選択から予め設定された時間経過する前に，次の操作が行われれば（ステップＳ４１のＮｏ側），処理はステップＳ４０に戻る。
【００２７】
ステップＳ５０では，前記ステップＳ４０や前記ステップＳ４１で選択された処理が実行される。
【００２８】
なお，前記メニューＭ１や前記メニューＭ２に表示されている処理を選択するために，前記テレビジョン受像機本体Ｙ１に，上下左右選択ボタンなどを新たに設けてもよいが，新たにボタンを設けるとコストがかかるので，前記テレビジョン受像機本体Ｙ１では，前記一対の音量調節ボタン１１ｂ２と前記一対の選局ボタン１１ｂ３で選択操作が可能な構成となっている。このような構成にすることにより，新たに上下左右選択ボタンを設けた場合に比べて，コストダウンに寄与することが可能となる。
さらに，ここでは，前記メニューボタン１１ａが設けられているが，前記音量調節ボタン１１ｂ２や前記選局ボタン１１ｂ３のうち複数を同時に押すことにより，前記メニューＭ１が表示されるような構成でもよい。
また，ここでは，前記メニューボタン１１ａは１つ設けられているが，複数でも構わない。
【実施例】
【００２９】
以下の実施例は，テレビジョン受像機本体の操作部に備えられているメニューボタンを操作することにより表示されるメニューの表示が，リモコンを模式的に表したものを含むケースである。
まず，この実施例に用いるテレビジョン受像システムＸ２について前記実施形態に係るテレビジョン受像システムＸ１との相違部分についてのみ説明する。
前記テレビジョン受像システムＸ２を構成するテレビジョン受像機本体Ｙ２には，操作部１１１（不図示）が設けられ，前記操作部１１１には，前記テレビジョン受像機Ｙ２において実行する処理に関するメニューＭ１０１（図９，図１０参照）を表示部１１４（不図示）に表示するためのメニューボタン１１１ａが備えられている。前記メニューボタン１１１ａを押下すると，図９に示すように，文字の項目が階層表示されている前記メニューＭ１０１が前記表示部１１４に表示される。図９の前記メニューＭ１０１の項目「リモコン」が選択・決定されると，図１０に示すように，リモコンを模式的に表した映像が前記表示部１１４に表示される。図１０に示すように，模式的に表された処理の項目は，前記表示部１１４に表示された前記模式的に表した映像上で，選択・実行指示することが可能である。このような点が，前記テレビジョン受像システムＸ１と異なる点である。
前記メニューボタン１１１ａにより前記表示部１１４に表示される前記メニューＭ１０１はリモコンを模式的に表したものであり模式的に表された処理項目は前記表示部１１４に表示された模式的に表された映像上で選択・実行することが可能であることが，「課題を解決するための手段」における「前記本体側処理情報表示指示手段により前記表示手段に表示される前記処理に関する情報が，前記遠隔操作手段を模式的に表したものであり，前記模式的に表された処理が前記表示手段上で選択・実行指示することが可能である」ことに相当する。
【００３０】
図１０のフローチャートに基づいて，前記テレビジョン受像機本体Ｙ２の前記制御部１１０によって実行される処理の手順についてその一例を説明する。
図中のＳ１１０，Ｓ１２０…は処理手順（ステップ）番号を示し，処理はステップＳ１１０より開始される。
【００３１】
ステップＳ１１０，ステップＳ１２０，ステップＳ１３１は，前記実施形態のステップＳ１０，ステップＳ２０，ステップＳ３１と同様であるので，ここでは説明を省略する。
【００３２】
ステップＳ１３０では，前記表示部１１４に，図９のような前記メニューＭ１０１が表示される。
【００３３】
続いて，ステップＳ１４０では，前記テレビジョン受像機本体Ｙ２に備えられている制御部１１０により，前記メニューＭ１０１の項目である「リモコン」が選択されたか否かが判断される。利用者により，前記操作部１１１に備えられている処理実行ボタン１１１ｂが操作され，前記「リモコン」が選択されると（ステップＳ１４０のＹｅｓ側），処理はステップＳ１５０に移行される。前記「リモコン」が選択されなければ（ステップＳ１４０のＮｏ側），処理はステップＳ１４１に移行される。
【００３４】
ステップＳ１４１では，前記メニューＭ１０１の項目が階層表示される。
【００３５】
ステップＳ１５０では，前記表示部１１４に，図１０に示すようなリモコンを模式的に表した映像が表示され，処理はステップＳ１６０に移行される。前記リモコンを模式的に表した映像のうち，模式的に表されたリモコンのボタン部分は，前記テレビジョン受像機本体Ｙ２で実行される処理の各項目になっており，前記操作部１１１に設けられている前記処理実行ボタン１１１ｂを操作することにより，前記メニューＭ１０１上のカーソルを移動させ，選択実行を指示することが可能である。
これにより，リモコンを使い慣れた利用者にとっては，文字の項目が階層表示されているメニューから希望する処理が行われる項目を見つけるよりも，リモコンをそのまま操作しているかのように処理項目を選択決定できる模式的なボタンのほうが，処理項目を容易に把握，判別できることから，利用者が処理の選択実行を指示するまでの時間が短縮され，利用者が希望する処理項目を探す負担が軽減される。
【００３６】
続いて，ステップＳ１６０，ステップＳ１６１，ステップＳ１７０が実行される。前記実施形態のステップＳ４０，ステップＳ４１，ステップＳ５０と同様の処理であるので，ここでは説明を省略する。
【図面の簡単な説明】
【００３７】
【図１】本発明の実施の形態に係るテレビジョン受像システムＸ１の概略構成を示すブロック図。
【図２】本発明の実施の形態に係るテレビジョン受像システムＸ１に設けられているテレビジョン受像機本体Ｙ１の模式図。
【図３】本発明の実施の形態に係るテレビジョン受像システムＸ１に設けられているリモコンＺ１の模式図。
【図４】本発明の実施の形態に係るテレビジョン受像システムＸ１に用いられるメニューＭ１の模式図。
【図５】本発明の実施の形態に係るテレビジョン受像システムＸ１に用いられるメニューＭ２の模式図。
【図６】本発明の実施の形態に係るテレビジョン受像システムＸ１に用いられるメニューの階層構造を示すブロック図。
【図７】本発明の実施の形態に係るテレビジョン受像システムＸ１に用いられるメニューＭ１やメニューＭ２の項目非表示に関する模式図。
【図８】本発明の実施の形態に係るテレビジョン受像システムＸ１に設けられているテレビジョン受像機本体Ｙ１に設けられた制御部１０により実行される処理の手順についてその一例を説明するためのフローチャート。
【図９】実施例に係るテレビジョン受像システムＸ２に用いられるメニューＭ１０１の項目が階層表示された映像の模式図。
【図１０】実施例に係るテレビジョン受像システムＸ２に用いられるメニューＭ１０１で項目「リモコン」を選択した場合の模式図。
【図１１】実施例に係るテレビジョン受像システムＸ２に設けられているテレビジョン受像機本体Ｙ２に設けられた制御部１１０により実行される処理の手順についてその一例を説明するためのフローチャート。
【符号の説明】
【００３８】
１０，２０，１１０…制御部
１１，２１，１１１…操作部
１２，２２…記憶部
１３…受光部
１４，１１４…表示部
２３…発光部
【図１】
2007274295.tif 000004
【図２】
2007274295.tif 000005
【図３】
2007274295.tif 000006
【図４】
2007274295.tif 000007
【図５】
2007274295.tif 000008
【図６】
2007274295.tif 000009
【図７】
2007274295.tif 000010
【図８】
2007274295.tif 000011
【図９】
2007274295.tif 000012
【図１０】
2007274295.tif 000013
【図１１】
2007274295.tif 000014